(57)【要約】【解決手段】第１軸受３１は、主動ベベルギヤ３２のボス３３の外周部４４に嵌合するとともに内外周面６２，４８に貫通した第１給油孔６４を備えたジャーナル軸受３４と、このジャーナル軸受の外周面４８に嵌合するとともに内外周面５１，５２の間に形成した潤滑油を貯蔵する油貯蔵室５３と、油貯蔵室から内周面５１へ貫通した第２給油孔５４を備えた軸受保持部材３５と、を備える。【効果】潤滑油は油貯蔵室に流入した後、第２給油孔及び第１給油孔を通り、ジャーナル軸受の内周面に達する。従って、すべり軸受の潤滑性の向上を図ることができる。【選択図】        図３
2005021081.tif 000002
【特許請求の範囲】
【請求項１】
操作杆の先端に刈刃を設け、操作杆の内部に駆動軸を通し、この駆動軸で前記刈刃を回転させる刈払機において、
駆動源に接続した前記駆動軸によって回転するとともにギヤボックス内に配置した主動ベベルギヤと、この主動ベベルギヤに噛合わせる従動ベベルギヤと、前記主動ベベルギヤを受ける第１軸受と、従動ベベルギヤで回転する出力軸の従動ベベルギヤ側を受ける第２軸受と、を備え、出力軸に前記刈刃を取り付けたものであって、
前記第１軸受は、主動ベベルギヤのボスの外周部に嵌合するとともに内外周面に貫通した第１給油孔を備えたジャーナル軸受と、このジャーナル軸受の外周面に嵌合するとともに内外周面の間に形成した潤滑油を貯蔵する油貯蔵室と、油貯蔵室から内周面へ貫通した第２給油孔を備えた軸受保持部材と、を備えたことを特徴とする刈払機の軸受構造。
【請求項２】
前記油貯蔵室は、主動ベベルギヤが位置する側に形成した開口と、この開口の対向側に形成した底部と、を備え、
前記ジャーナル軸受は、主動ベベルギヤが位置する端に連続するとともに前記開口を封じるフランジ部と、フランジ部に形成した連通路と、を備えたことを特徴とする請求項１記載の刈払機の軸受構造。
【請求項３】
前記油貯蔵室は、室を複数に仕切るリブと、開口側に配したリブの端に前記フランジ部から離した隙間部と、を備えたことを特徴とする請求項２記載の刈払機の軸受構造。
【請求項４】
前記油貯蔵室は、両端に形成した開口と、両端の間に形成した隔壁と、前記両端のうちの駆動源側に配した開口の上方に開けた循環供給口と、を備え、
前記ギヤボックスは、前記第２軸受を嵌合する軸受穴と、この軸受穴を形成した辺と、この辺に沿って開けた前記軸受穴に連通し且つ、前記循環供給口に臨む油搬送路と、を備えたことを特徴とする請求項１記載の刈払機の軸受構造。
【発明の詳細な説明】
【０００１】
【発明の属する技術分野】
本発明は刈払機の軸受構造に関する。
【０００２】
【従来の技術】
従来の刈払機の軸受構造は、刈刃を回転させる軸に対して、交差するように駆動源からの軸を配置し、この軸に嵌合したベベルギヤをすべり軸受で支持した（例えば、特許文献１参照。）。
【０００３】
【特許文献１】
実開昭５３−１２８２３４号公報  （第４頁、第３図）
【０００４】
特許文献１を、図面を参照の上、詳しく説明する。
図７は従来の刈払機の説明図であり、特許文献１の第３図である。
従来の刈払機は、把持管６内に傘歯車６６を取り付けたトルク伝達軸６１を軸受６２、吸振材６３、スラスト受６３で取り付けたものである。
【０００５】
【発明が解決しようとする課題】
上記図７に示す特許文献１の刈払機では、軸受６２、吸振材６３に対する潤滑油の不足が起きやすい。特に、下方に較べ上方は油膜が無くなりやすい。
【０００６】
そこで、本発明の目的は、すべり軸受の潤滑性の向上を図れる刈払機の軸受構造を提供することにある。
【０００７】
【課題を解決するための手段】
上記目的を達成するために請求項１では、操作杆の先端に刈刃を設け、操作杆の内部に駆動軸を通し、この駆動軸で刈刃を回転させる刈払機において、駆動源に接続した駆動軸によって回転するとともにギヤボックス内に配置した主動ベベルギヤと、この主動ベベルギヤに噛合わせる従動ベベルギヤと、主動ベベルギヤを受ける第１軸受と、従動ベベルギヤで回転する出力軸の従動ベベルギヤ側を受ける第２軸受と、を備え、出力軸に刈刃を取り付けたものであって、第１軸受は、主動ベベルギヤのボスの外周部に嵌合するとともに内外周面に貫通した第１給油孔を備えたジャーナル軸受と、このジャーナル軸受の外周面に嵌合するとともに内外周面の間に形成した潤滑油を貯蔵する油貯蔵室と、油貯蔵室から内周面へ貫通した第２給油孔を備えた軸受保持部材と、を備えたことを特徴とする。
【０００８】
主動ベベルギヤにジャーナル軸受を被せ、ジャーナル軸受に軸受保持部材を被せ軸受保持部材をギヤボックスに取り付けた。刈払機を作動させると、ギヤボックス内の潤滑油は軸受保持部材の油貯蔵室に流入した後、第２給油孔及び第１給油孔を通り、ジャーナル軸受の内周面に達する。従って、すべり軸受の潤滑性の向上を図れる。
【０００９】
請求項２では、油貯蔵室は、主動ベベルギヤが位置する側に形成した開口と、この開口の対向側に形成した底部と、を備え、ジャーナル軸受は、主動ベベルギヤが位置する端に連続するとともに開口を封じるフランジ部と、フランジ部に形成した連通路と、を備えたことを特徴とする。
【００１０】
フランジ部に連通路を潤滑油が流入できるように開けた。ギヤボックス内の潤滑油は連通路を通ると同時に開口を通り、油貯蔵室に溜まる。従って、長期間、潤滑油を供給することができる。
また、長期間、潤滑油を供給することができ、ジャーナル軸受の耐久性の向上を図ることができるとともに、点検頻度を少なくし、取扱性の向上を図れる。
【００１１】
請求項３では、油貯蔵室は、室を複数に仕切るリブと、開口側に配したリブの端にフランジ部から離した隙間部と、を備えたことを特徴とする。
リブによって区切れらた各油貯蔵室に潤滑油を貯蔵することで、刈払機をいかなる作業姿勢に対応させても、潤滑油の偏りは少なく、すべり軸受の潤滑性の向上を図れる。
【００１２】
請求項４では、油貯蔵室は、両端に形成した開口と、両端の間に形成した隔壁と、両端のうちの駆動源側に配した開口の上方に開けた循環供給口と、を備え、ギヤボックスは、第２軸受を嵌合する軸受穴と、この軸受穴を形成した辺と、この辺に沿って開けた軸受穴に連通し且つ、循環供給口に臨む油搬送路と、を備えたことを特徴とする。
【００１３】
ギヤボックス内の潤滑油は、まず、ギヤボックスの辺に開けた小径の油搬送路によって油貯蔵室の循環供給口に向かう。循環供給口に達した潤滑油は油貯蔵室に流入し、隔壁上に溜まるとともに、隔壁より上方に位置する第２給油孔及び第１給油孔を通り、ジャーナル軸受の上方の内周面に達する。従って、すべり軸受の潤滑性の向上を図れる。
【００１４】
また、油搬送路を通る潤滑油は第２軸受にも達するので、同時に、出力軸の従動ベベルギヤ側を受ける第２軸受に潤滑油を供給することができる。従って、すべり軸受の潤滑性の向上を図れる。
【００１５】
【発明の実施の形態】
本発明の実施の形態を添付図に基づいて以下に説明する。なお、図面は符号の向きに見るものとする。
図１は本発明に係る刈払機の側面図であり、刈払機１０は、パイプ状の操作杆１１の内部１２に駆動軸１３を通し、この駆動軸１３を操作杆１１の端１４に設けた駆動源１５で回転させることで、操作杆１１の先端１６に設けた刈刃１７を回転させる形式のもので、操作杆１１の長手（矢印ａの方向）の中央部２１にハンドル２２を十文字を呈するようにハンドルホルダー２３で固定したものである。２４はギヤボックスを示す。
駆動源１５はエンジン又は電動モータである。
【００１６】
図２は図１の２矢視図であり、ギヤボックス２４を示すとともに、ギヤボックス２４内に駆動軸１３で回転を伝え、刈刃１７を回転させることを示す。ギヤボックス２４には、グリース注入口２６を形成し、グリース注入口２６にグリースポンプを接続してギヤボックス２４内にグリースを圧入することで、軸受に供給する。
【００１７】
図３は図２の３−３線断面図である。
刈払機１０は、主動機構２８と、従動機構２９を備える。主動機構２８は第１軸受としての軸受手段３１を備え、軸受手段３１は、ジャーナル軸受３４と、軸受保持部材３５とからなる。すなわち、刈払機１０は、駆動軸１３と刈刃１７とを主動ベベルギヤ３２を内蔵したギヤボックス２４で連結し、主動ベベルギヤ３２のボス３３はジャーナル軸受３４で支持させ、ギヤボックス２４内に軸受保持部材３５を取り付け、この軸受保持部材３５にジャーナル軸受３４を支持させたものである。
【００１８】
ギヤボックス２４は、操作杆１１に嵌合する第１ボックス部３６に第２ボックス部３７を一体に成形したもので、第１ボックス部３６に第１嵌合穴３８を形成し、第２ボックス部３７に第２嵌合穴４１、上述したグリース注入口２６を形成した。
【００１９】
主動ベベルギヤ３２は、中央にボス３３を形成し、ボス３３にスプライン４３を形成した。４４はボスの外周部を示す。
図中、４５，４６は第１・第２リング部材、４７は止め輪を示す。
【００２０】
軸受保持部材３５は、ジャーナル軸受３４の外周面４８に嵌合するとともに内外周面５１，５２の間に形成した潤滑油を貯蔵する油貯蔵室５３と、油貯蔵室５３から内周面５１へ貫通した第２給油孔５４を備え、ギヤボックス２４に一体的に嵌合し、回転しない軸受である。
【００２１】
油貯蔵室５３は、主動ベベルギヤ３２が位置する側に形成した開口５５と、この開口５５の対向側に形成した底部５６と、室５３を複数に仕切るリブ５７と、開口５５側に配したリブ５７の端５８にジャーナル軸受３４のフランジ部６５から離した隙間部６１と、を備える。
【００２２】
ジャーナル軸受３４は、内外周面６２，４８に貫通した第１給油孔６４と、主動ベベルギヤ３２が位置する端に連続するとともに開口５５を封じるフランジ部６５と、フランジ部６５の上方に形成した連通路６６とを備え、軸受保持部材３５に一体的に嵌り、回転しない軸受である。
【００２３】
従動機構２９は、主動ベベルギヤ３２に噛合わせる従動ベベルギヤ６７と、従動ベベルギヤ６７を支持するとともに従動ベベルギヤ６７で回転する出力軸６８と、出力軸６８の両端７１、７２を受ける第２・第３軸受７３、７４と、を備えた。
【００２４】
図４は本発明に係る第１軸受の斜視図であり、第１軸受としての軸受手段３１は、ジャーナル軸受３４と、軸受保持部材３５とからり、軸受保持部材３５は、内外周面５１，５２の間に形成した油貯蔵室５３と、油貯蔵室５３から内周面５１へ貫通した第２給油孔５４・・・（・・・は複数を示す。以下同様。）を備え、油貯蔵室５３は、開口５５と、この開口５５の対向側に形成した底部５６と、室５３を複数に仕切るリブ５７・・・と、開口５５側に配したリブ５７・・・の端５８・・・に形成した隙間部６１・・・と、を備えることを示す。
【００２５】
図４はまた、ジャーナル軸受３４は、内外周面６２，４８に貫通した第１給油孔６４・・・と、フランジ部６５と、フランジ部６５に形成した連通路６６とを備えることを示す。
【００２６】
以上に述べた刈払機の軸受構造の作用を次に説明する。
図３に示すように、ギヤボックス２４内にグリース注入口２６からグリースを規定量入れる。そして、刈払機１０で雑草を刈ると、主動ベベルギヤ３２、従動ベベルギヤ６７や出力軸６８の回転により、ギヤボックス２４内の温度が上昇し、ギヤボックス２４内のグリースは流動性がよくなる。流動性がよくなったグリースは、主動・従動ベベルギヤ３２，６６や出力軸６８の遠心力によって、ジャーナル軸受３４のフランジ部６５に形成した連通路６６から油貯蔵室５３に入る。油貯蔵室５３に入ったグリースは、第２給油孔５４及び第１給油孔６４を通りジャーナル軸受３４の内周面６２に達する。従って、すべり軸受の潤滑性の向上を図ることができる。
【００２７】
また、油貯蔵室５３及びジャーナル軸受３４のフランジ部６５とを備えることで、油貯蔵室５３にグリースを一旦貯蔵して、油貯蔵室５３から供給することができ、長期間、グリースを供給することができる。
【００２８】
さらに、油貯蔵室５３及びジャーナル軸受３４のフランジ部６５とを備えることで、長期間、グリースを供給することができ、ジャーナル軸受３４の耐久性の向上を図ることができるとともに、点検頻度を少なくし、取扱性の向上を図ることができる。
【００２９】
リブ５７・・・と、フランジ部６５から離した隙間部６１・・・によって区切れらた各油貯蔵室にグリースを貯蔵することで、刈払機１０をいかなる作業姿勢に対応させても、グリースの偏りは少なく、すべり軸受の潤滑性の向上を図ることができる。
【００３０】
次に、本発明に係る刈払機の軸受構造の別実施の形態を示す。
別実施の形態は、請求項４に対応する。
図５は別実施の形態図であり、上記図３に示す実施の形態と同様の構成については、同一符号を付し説明を省略する。
【００３１】
刈払機１０Ｂは、主動機構２８Ｂと、従動機構２９Ｂを備える。
主動機構２８Ｂは第１軸受としての軸受手段３１Ｂを備え、軸受手段３１Ｂは、ジャーナル軸受３４Ｂと、軸受保持部材３５Ｂとからなる。
【００３２】
ジャーナル軸受３４Ｂには、内外周面６２Ｂ，４８Ｂに貫通した第１給油孔６４Ｂを形成し、軸受保持部材３５Ｂに一体的に嵌る。
軸受保持部材３５Ｂは、ジャーナル軸受３４Ｂの外周面４８Ｂに嵌合するとともに内外周面５１Ｂ，５２Ｂの間に形成した潤滑油を貯蔵する油貯蔵室５３Ｂと、油貯蔵室５３Ｂから内周面５１Ｂへ貫通した第２給油孔５４Ｂを備え、ギヤボックス２４Ｂに一体的に嵌合し、回転しないものである。
【００３３】
油貯蔵室５３Ｂは、両端９１，９２に形成した開口９３，９４と、両端９１，９２の間に形成した隔壁９５と、駆動源１５側に配した開口９３の上方に開けた循環供給口９６と、を備える。
【００３４】
第２ボックス部３７Ｂは、上方の第２軸受９７を嵌合する軸受穴１０１と、この軸受穴１０１を形成した辺１０２と、この辺１０２に沿って開けた軸受穴１０１に連通し且つ、循環供給口９６に臨む油搬送路１０３とを備える。１０４は油搬送路１０３の端１０５を封じるプラグを示す。
【００３５】
従動機構２９Ｂは、第２ボックス部３７Ｂの軸受穴１０１に嵌合するとともに出力軸６８の端７１を受ける第２軸受９７を有する。
第２軸受９７は、ジャーナル軸受である。
【００３６】
図６は別実施の形態の第１軸受の斜視図であり、ジャーナル軸受３４Ｂに第１給油孔６４Ｂ・・・を内外周面６２Ｂ，４８Ｂに貫通するように開けたことを示し、軸受保持部材３５Ｂは、内外周面５１Ｂ，５２Ｂの間に形成した潤滑油を貯蔵する油貯蔵室５３Ｂと、油貯蔵室５３Ｂから内周面５１Ｂへ貫通した第２給油孔５４Ｂ・・・を備えることを示す。
【００３７】
図６はまた、油貯蔵室５３Ｂは、両端９１，９２に形成した開口９３，９４と、両端９１，９２の間に形成した隔壁９５と、開口９３の上方に開けた循環供給口９６と、を備えたものであることを示す。
【００３８】
次に別実施の形態の作用を説明する。
図５に示すように、ギヤボックス２４Ｂ内にグリース注入口２６からグリースを規定量入れる。そして、刈払機１０で雑草を刈ると、主動ベベルギヤ３２、従動ベベルギヤ６７や出力軸６８の回転により、ギヤボックス２４内の温度が上昇し、ギヤボックス２４内のグリースは流動性がよくなる。流動性がよくなったグリースは、主動・従動ベベルギヤ３２，６６や出力軸６８の遠心力によって、第２ボックス部３７Ｂの上方の油搬送路１０３を通り、油貯蔵室５３Ｂの上方の循環供給口９６から油貯蔵室５３Ｂに入る。油貯蔵室５３Ｂ内のグリースは第２給油孔５４Ｂ及びジャーナル軸受３４Ｂの第１給油孔６４Ｂを通り、ジャーナル軸受３４Ｂの内周面６２Ｂに達する。従って、すべり軸受の潤滑性の向上を図ることができる。
【００３９】
また、第２ボックス部３７Ｂの上方の油搬送路１０３を通る流動性がよくなったグリースは油貯蔵室５３Ｂに流れると同時に、出力軸６８の端７１を受ける第２軸受９７にも達する。従って、同時に、従動機構２９Ｂのすべり軸受の潤滑性の向上を図ることができる。
【００４０】
油貯蔵室５３Ｂは、両端９１，９２に形成した開口９３，９４と、両端９１，９２の間に形成した隔壁９５と、駆動源１５側に配した開口９３の上方に開けた循環供給口９６と、を備えるので、隔壁９５によってグリースを上方に溜めながら上方からグリースを供給することができ、ジャーナル軸受３４Ｂの上方の油膜をより確実に確保することができる。
【００４１】
油貯蔵室５３Ｂは、下方に開口９４を備えるので、開口９４からグリースを第２給油孔５４Ｂ及び第１給油孔６４Ｂを通して、ジャーナル軸受３４Ｂの下方に供給することができる。
【００４２】
尚、本発明の実施の形態に示した構成部品の材質は任意である。
本発明の実施の形態を刈払機以外の機械に用いることも可能である。
流路や孔や溝の数量や寸法は任意であり、所望の量の油（グリース）を導く形態であればよい。
【００４３】
【発明の効果】
本発明は上記構成により次の効果を発揮する。
請求項１では、第１軸受は、主動ベベルギヤのボスの外周部に嵌合するとともに内外周面に貫通した第１給油孔を備えたジャーナル軸受と、このジャーナル軸受の外周面に嵌合するとともに内外周面の間に形成した潤滑油を貯蔵する油貯蔵室と、油貯蔵室から内周面へ貫通した第２給油孔を備えた軸受保持部材と、を備えたので、潤滑油は油貯蔵室に流入した後、第２給油孔及び第１給油孔を通り、ジャーナル軸受の内周面に達する。従って、すべり軸受の潤滑性の向上を図ることができる。
【００４４】
請求項２では、油貯蔵室は、主動ベベルギヤが位置する側に形成した開口と、この開口の対向側に形成した底部と、を備え、ジャーナル軸受は、主動ベベルギヤが位置する端に連続するとともに開口を封じるフランジ部と、フランジ部に形成した連通路と、を備えたので、潤滑油は連通路を通ると同時に開口を通り、油貯蔵室に溜まる。従って、長期間、潤滑油を供給することができる。
【００４５】
また、油貯蔵室及びジャーナル軸受のフランジ部とを備えることで、長期間、潤滑油を供給することができ、ジャーナル軸受の耐久性の向上を図ることができるとともに、点検頻度を少なくし、取扱性の向上を図ることができる。
【００４６】
請求項３では、油貯蔵室は、室を複数に仕切るリブと、開口側に配したリブの端にフランジ部から離した隙間部と、を備えたので、リブによって区切れらた各油貯蔵室に潤滑油を貯蔵することで、刈払機をいかなる作業姿勢に対応させても、潤滑油の偏りは少なく、すべり軸受の潤滑性の向上を図ることができる。
【００４７】
請求項４では、油貯蔵室は、両端に形成した開口と、両端の間に形成した隔壁と、両端のうちの駆動源側に配した開口の上方に開けた循環供給口と、を備え、ギヤボックスは、第２軸受を嵌合する軸受穴と、この軸受穴を形成した辺と、この辺に沿って開けた軸受穴に連通し且つ、循環供給口に臨む油搬送路と、を備えたので、油搬送路によって油貯蔵室の上方に開けた循環供給口から潤滑油を流入させて、隔壁上に溜めつつ第２給油孔及び第１給油孔を通して、ジャーナル軸受の上方に潤滑油を供給することができる。従って、すべり軸受の潤滑性の向上を図ることができる。
【００４８】
また、油搬送路を通る潤滑油は第２軸受にも達するので、同時に、出力軸の従動ベベルギヤ側を受ける第２軸受に潤滑油を供給することができる。従って、すべり軸受の潤滑性の向上を図ることができる。
【図面の簡単な説明】
【図１】本発明に係る刈払機の側面図
【図２】図１の２矢視図
【図３】図２の３−３線断面図
【図４】本発明に係る第１軸受の斜視図
【図５】別実施の形態図
【図６】別実施の形態の第１軸受の斜視図
【図７】従来の刈払機の説明図
【符号の説明】
１０…刈払機、１１…操作杆、１３…駆動軸、１６…先端、１７…刈刃、２４…ギヤボックス、３１…第１軸受（軸受手段）、３３…ボス、３４…第１軸受のジャーナル軸受、３５…軸受保持部材、３２…主動ベベルギヤ、４４…ボスの外周部、４８…ジャーナル軸受の外周面、５１…軸受保持部材の内周面、５２…軸受保持部材の外周面、５３，５３Ｂ…油貯蔵室、５４…第２給油孔、５５…主動ベベルギヤ側の開口、５６…底部、５７…リブ、６２…ジャーナル軸受の内周面、６４…第１給油孔、６５…フランジ部、６６…連通路、６７…従動ベベルギヤ、６８…出力軸、７３…第２軸受、９１，９２…両端、９３，９４…両端に形成した開口、９５…隔壁、９６…循環供給口、１０１…軸受穴、１０２…辺、１０３…油搬送路。
【図１】
2005021081.tif 000003
【図２】
2005021081.tif 000004
【図３】
2005021081.tif 000005
【図４】
2005021081.tif 000006
【図５】
2005021081.tif 000007
【図６】
2005021081.tif 000008
【図７】
2005021081.tif 000009